(57)【要約】      （修正有）【課題】従来一般の人達が使っているステッキは、グリップも細めで形も良い、しかし、足、腰の不自由な人達が、もしも  カバンやバックを落としたら、拾う事も出来ず、人頼みになる、又  つまずいた時や階段を昇る時など、ステツキに体重をかけると、細身のグリップでは手のひらにくいこんで、痛みを生じて大変危険である、又  夜おそく帰宅した時、うっかりカギなど落とした場合、人頼みも出来ず苦労する。【解決手段】それで、この考案はグリップの先端を丸くカギ状にして、バツクやカバン等を引っ掛け、拾いやすくした。又  つまずいた時などグリップの中央の、手のひらの当たる部分が広く、平面にしたので、体重をかけても  手のひらに痛みを感じないで、安心である。又夜帰宅した時カギなど落としても、グリップの後ろのレバーを押すと、ステッキ先端からピアノ線の４本爪が出て拾う事が出来るよう考案した。【選択図】図１
0003140893.tif 000002
【実用新案登録請求の範囲】
【請求項１】
ステッキの先端を丸くカギ状にして、図１−１、バツクのつり手やカバンの、つり手を引っ掛け、拾い上げやすくした考案である。
【請求項２】
クリツプの手のひらの当たる部分を平面、図１−３にして、手のひらの痛みを防ぎ、体重をかけやすくしたものである。
【請求項３】
夜おそく帰宅した時など、うっかりしてカギを落とした時、図１−７  レバーを押してステッキ先端、図１−１４の４本爪を出し、カギなど拾いやすくした。
【考案の詳細な説明】
【技術分野】
【０００１】本考案はヒザ、腰の不自由な人達が安心して頼れるステッキに関するものである。
【背景技術】
【０００２】従来のステッキは、グリップの握りの部分が、細身で体裁よく作られているので、体の不自由なかた達がバックやカバンを落とした時に拾い上げる事が出来ない。又、つまずいたりした時に、グリップの握りが、手のひらにくいこんで、痛みを生じ、手がすべって危険である。又、夜など帰宅した時にウッカリしてカギなど落した時拾う事ができず大変難儀である。
【考案の開示】
【考案が解決しようとする課題】
【０００３】しかし、これでは本当に足腰の不自由な人には、つまずいたり、転びそうになったりした時に、安心して体重をかける事も出来ず又、落としたカバンやバッグ、小物類を、拾う事も出来ないので、不便である。
【課題を解決するための手段】
【０００４】それで先ずカバンやバッグを拾い上げるために、グリップの先端を丸くカギ状にした、又、グリップの、手のひらの当たる部分を平面にして、手のひらに痛みを感じないで体重を支えられるようにした、又、椅子からたちあがる時グリップの平面の部分に腕をかけるとグリップがすべらず安心して立ち上がる事が出来る。又、夜帰宅した時、ウッカリしてカギを落とした場合でも、先端のピックアップで拾うよう考案した。
【考案の効果】
【０００５】そのため本考案の介助ステッキにより、カバンなどを落とした時も、心配なく、又、つまずいたり、した時も安心して体重を支えられる、又、カギとか小さな物を落とした時も、他人の手を借りる事が少なくなると思う
【考案を実施するための最良の形態】
【０００６】本考案に係る介助ステッキは、図１に示すようにグリップ先端、図１−１を丸くカギ状にして落とした品を容易に拾う事が出来る、又、図１−３はグリップの手のひらの当たる部分を平面にして、体重を受けられるようにした。そして夜、帰宅した時カギなどを落としても、他人の手を借りず、拾う事が出来る。  本考案は体の不自由な人の為に、介助の助けになれば、と  想い、考案したものである。
【図面の簡単な説明】
【０００７】
【図１】  本考案に関する、介助ステッキの全体図、斜面図である。（原寸図）
【符号の説明】
【０００８】図１−１に書いたグリップの先端を丸くカギ状にしてカバンの取手などを引っ掛け拾いやすくした。
図１−２はグリップの材料により木材、樹脂などの場合、図面５にある太さ３ミリのステンレス針金をグリップ中板、図面３−１に先端の補強のため埋め込む、グリップの材料がアルミニュームなどの軽金属の場合は、補強針金は必要ない。
図１−３はグリップの手のひらの当たる部分を平面にして、手のひらに痛みを感じず安心して体重をかける事が出来る、又、図１−３にウデをかけ、立ち上がっても、グリップがすべる事がないので、安心である。
図１−４はステッキ先端のピックアップのステンレス針金図１−５がすべりやすいように、図面１０の太さ０，９５のステンレス針金を外経４ミリ長さ７センチを埋めて、図１−１１のパイプに接続してある。
図１−５は図面７の０，９５のステンレス針金である、図１−７から図１−１４のピックアップの爪まで続いている。
図１−６は図１−７のレバーにピックアップのリード針金を止める、太さ２ミリ長さ１０ミリの図面１１−２のネジである。
図１−７は先端のピックアップを押し出すためのレバーである、図面６−１，２，３，はレバーの向きを変えて書いてある。
図１−８は松葉型スプリング図面面１１−１や図面面１１−３などを入れレバーを入れて可動させる止めネジ図面１１−３の太さ３ミリ長さ２５ミリのボルトナットである。
図１−９は小さい袋などを引っ掛けて片手を空けて電車の吊り革などにつかまる。
図１−１０はステッキの転倒防止に、下駄箱の上などに、掛ければ便利である。
図１−１１は図１−４と図１−１３を、つなぐ図面８にある太さ６ミリの硬質ゴム又は硬質ビニールである。
［符号の説明］
図１−１２はステッキ本体のパイプ外径１６ミリ内径１４ミリのスチールパイプアルミニュームパイプ、カーボンパイプ等、軽金属  長さは、使う人の背丈によって違う、７０センチ、７５センチ、８０センチ、８５センチなど各種作る事が出来る。
図１−１３は図１−５から先端の爪まで続いている、図面９の太さ０，９５のステンレス螺旋パイプである。
図１−１４は図１−７から先端、図面７にある４本爪のピックアップである。
図１−１５はステッキ先端のゴム製の石突である、着脱しやすいよう従来のものよりパイプの差し込みが１０ミリ短くしてある。
図面２はグリップの両側板２枚厚さ５５ミリを使う。
図面３はグリップ中板、厚さ１４ミリである。
図面４はグリップ上面から見た図である。
【図１】
0003140893.tif 000003
【図２】
0003140893.tif 000004
【図３】
0003140893.tif 000005
【図４】
0003140893.tif 000006
【図５】
0003140893.tif 000007
【図６】
0003140893.tif 000008
【図７】
0003140893.tif 000009
【図８】
0003140893.tif 000010
【図９】
0003140893.tif 000011
【図１０】
0003140893.tif 000012
【図１１】
0003140893.tif 000013
【手続補正書】
【提出日】平成20年1月7日(2008.1.7)
【手続補正１】
【補正対象書類名】明細書
【補正対象項目名】０００８
【補正方法】変更
【補正の内容】
【０００８】１カギ状の先端
図１−１に書いたグリップの先端を丸くカギ状にしてカバンの取手など引っ掛け拾いやすくした。
２補強用芯針金
図１−２はグリップの材料が木材、樹脂などの場合、図面５にある太さ３ミリのステンレス針金をグリップ中板に先端の補強のため埋め込むグリップの材料がアルミニュームなどの軽金属の場合は、補強針金は必要ない。
３掌、当て部
図１−３はグリップの手のひらの当たる部分を平面にして、手のひらに痛みを感じず安心して体重をかける事が出来る、又図１−３にウデをかけ、立ち上がってもグリップがすべる事がないので安心です。
４針金ガイドパイプ
図１−４はステッキ先端のピックアップ爪のステンレス針金、図１−５がすべりやすいようにステンレス針金パイプ外経４ミリ長さ７センチを埋めて図１−１１のパイプに接続してます。
５ステンレス針金
図１−５はステンレス針金です、図１−７のレバーからステッキ先端のピックアップ用爪まで続いています。
６止めネジ
図１−６は図１−７のレバーにピックアップのリード針金を止める太さ２ミリ長さ１０ミリのネジです。
７レバー
図１−７は先端のピックアップを押し出すためのレバーです。
８レバー支点止めネジ
図１−８は松葉型スプリングをレバーに入れて可動させるネジです。
９小物引っ掛け部
図１−９は小さい袋などを引っ掛け片手を空けて電車の吊り革などにつかまる。
１０転倒防止掛け部
図１−１０はステッキの転倒防止に、下駄箱の角などに掛ければ便利です。
１１接続パイプ
図１ー１１は図１−４と図１−１３を、つなぐ太さ６ミリの硬質ゴムパイプ、又は硬質ビニールパイプです。
１２ステッキ本体パイプ
図１−１２はステッキ本体のパイプ外径１６ミリ内径１４ミリのスチールパイプアルミニュームパイプ、カーボンパイプ等  長さは使用する人の身長によって違う、７０センチ、７５センチ、８０センチ、８５センチなど各種、作る事が出来ます。
１３ステンレス螺旋パイプ
図１−１３はステッキ先端に付けて、ピックアップ用爪を収納する螺旋針金です。
１４ピックアップ用  爪
図１−１４は図１−５のリード針金がステッキ先端まで続き、その針金の先に取り付けた鋼線の爪です。
１５石突
図１−１５はステッキパイプ先端にかぶせるゴム製のキャップです、着説しやすいように従来の石突きよりパイプの差し込み口が１０ミリ短くしてあります。
【手続補正２】
【補正対象書類名】図面
【補正対象項目名】全図
【補正方法】変更
【補正の内容】
【図１】
0003140893.tif 000014
【図２】
0003140893.tif 000015
【図３】
0003140893.tif 000016
【図４】
0003140893.tif 000017
【図５】
0003140893.tif 000018
【図６】
0003140893.tif 000019
【図７】
0003140893.tif 000020
【図８】
0003140893.tif 000021
【図９】
0003140893.tif 000022
【図１０】
0003140893.tif 000023
【図１１】
0003140893.tif 000024
【手続補正書】
【提出日】平成20年1月7日(2008.1.7)
【手続補正１】
【補正対象書類名】実用新案登録請求の範囲
【補正対象項目名】全文
【補正方法】変更
【補正の内容】
【実用新案登録請求の範囲】
【請求項１】
ステッキ、グリップの握りの先端（１）を丸くして、掌当て部（３）を平らにして、小物掛け部（９）及び、レバー（７）を設けた柄と、ステッキパイプ（１２）先端部に石突き（１５）ピックアップ爪（１４）を設け、レバー（７）とピックアップ爪（１４）が連動する介助ステッキ。
【手続補正２】
【補正対象書類名】明細書
【補正対象項目名】０００７
【補正方法】変更
【補正の内容】
【０００７】
【図１】  本考案のステッキ部を短く表した斜視図
【図２】  グリップ部の側面図
【図３】  グリップ部の断面図
【図４】  グリップ部の上面図
【図５】  グリップ握り先端の補強芯針金図
【図６】  レバーの側面、断面、及び斜視図
【図７】  ピックアップ爪部分の斜視図
【図８】  ピックアップ用針金ガイドパイプ図
【図９】  ステンレス螺旋爪収納パイプ図
【図１０】  グリップ内ピックアップ針金ガイドパイプ図
【図１１】  レバー支点に用いる松葉型スプリング、ボルト、ナット及びストラップガイド